(57)【要約】ビデオ・静止画像共同パイプライン技術を使用して、ユーザ（３２２）がハンドヘルドデバイス（２２２）と遠隔カメラ（２４０）とを用いて高解像度写真（１１０）を取得することができるように、インターネットを通してネットワーク（２３０）を配備することができる。遠隔装置（２２２）はまた、ユーザの個人情報が埋め込まれた識別タグ（２２５）を含んでもよく、それにより遠隔カメラ（２４０）は、識別タグ（２２５）を読み取ることにより写真（１１０）におけるユーザ（３２２）を識別することができる。遠隔カメラ（２４０）は、任意に、ネットワーク（２３０）によりユーザ（３２２）に送信してもよい写真（１１０）に注釈を付すこともできる。
2006502660.tif 000002
【特許請求の範囲】
【請求項１】
１つまたは複数の写真・ビデオ取得装置（２４０）によってキャプチャされるビデオストリーム（１２０）を遠隔装置（２２２）において閲覧するために、該１つまたは複数の写真・ビデオ取得装置（２４０）をビューファインダとして使用するステップ（６１０）と、
前記遠隔装置（２２２）において閲覧される前記ビデオストリーム（１２０）から高解像度写真（１１０）を選択するように該遠隔装置（２２２）を制御するステップ（６２０）と、
前記高解像度写真における被写体を識別するために、識別タグ（２２５）を使用するステップ（６３０）と
を含む遠隔操作撮影方法。
【請求項２】
前記高解像度写真（１１０）に注釈を付すステップ（４２６）をさらに含む請求項１に記載の遠隔操作撮影方法。
【請求項３】
前記１つまたは複数の写真・ビデオ取得装置（２４０）によって前記識別タグを読み取るステップをさらに含む請求項１に記載の遠隔操作撮影方法。
【請求項４】
前記識別タグ（２２５）は前記被写体に付されている請求項１に記載の遠隔操作撮影方法。
【請求項５】
前記識別タグ（２２５）はパッシブ無線タグである請求項１に記載の遠隔操作撮影方法。
【請求項６】
前記識別タグ（２２５）は、信号を送り、前記１つまたは複数の写真・ビデオ取得装置（２４０）が、該識別タグ（２２５）から送られる該信号を使用して前記高解像度写真（１１０）における前記被写体を識別する請求項１に記載の遠隔操作撮影方法。
【請求項７】
前記ビデオストリーム（１２０）と前記高解像度写真（１１０）とをネットワーク（２３０）を介して前記被写体に送信するステップ（４４２）をさらに含む請求項１に記載の遠隔操作撮影方法。
【請求項８】
ビデオストリーム（１２０）と高解像度写真（１１０）とを取得できる１つまたは複数の写真・ビデオ取得装置（２４０）と、
ネットワーク（２３０）を介して前記１つまたは複数の写真・ビデオ取得装置（２４０）に接続することができ、該１つまたは複数の写真・ビデオ取得装置（２４０）からストリーミングされるビデオ（１２０）をビューファインダとして使用して前記高解像度写真（１１０）を取得することができる遠隔装置（２２２）と
を具備し、
前記１つまたは複数の写真・ビデオ取得装置（２４０）は識別タグ（２２５）を使用して前記高解像度写真（１１０）における被写体を識別するものである遠隔操作撮影装置。
【請求項９】
前記写真・ビデオ取得装置（２４０）は遠隔ビデオカメラである請求項８に記載の遠隔操作撮影装置。
【請求項１０】
前記１つまたは複数の写真・ビデオ取得装置（２４０）は、前記高解像度写真（１１０）に注釈を付すものである請求項８に記載の遠隔操作撮影装置。
【発明の詳細な説明】
【技術分野】
【０００１】
本発明はカメラシステムに関し、特に、遠隔操作撮影に関する。
【背景技術】
【０００２】
本出願は、２００１年１２月２１日に出願された、Pere OBRADOR他に対する「REMOTE HIGH RESOLUTION PHOTOGRAPHY AND VIDEO RECORDING USING A STREAMING VIDEO AS A VIEW FINDER」と題する米国特許出願第１０／０２３，９５１号（代理人整理番号第１０００７８４３−１号）に関し、その内容は参照により本明細書に援用される。
【０００３】
通信の発達により、電子機器の遠隔装置を利用する遠隔撮影がますます望ましくなってきている。人は、ある場面を興味あるものと思い、またはある瞬間を記憶するに値するものであると思うときがしばしばあるが、結局のところ、その画像をキャプチャするカメラが手元にないか、または自分が写真を撮影する最適な位置にいないことに気付く。
【０００４】
遠隔撮影は、一般的に、限られた環境において利用することができる。たとえば、テーマパークでは、通常、乗物に乗っているかまたはイベントに参加している顧客の画像をデジタルカメラによってキャプチャする電子撮影システムが提供される。それらの画像は、後に、顧客情報および／または支払情報の照合後に、ネットワークを介して顧客に送信される。しかしながら、電子撮影システムは、単に顧客の写真をランダムに撮影するのみであり、すなわち、顧客は、タイミング、またはズーミング等のより高度な機能に関し、デジタルカメラに対して能動的に制御することができない。さらに、一般的には、顧客照合および識別のプロセスは手動で行われている。
【発明の開示】
【課題を解決するための手段】
【０００５】
遠隔操作撮影方法は、１つまたは複数の写真・ビデオ取得装置によってキャプチャされるビデオストリームが遠隔装置において閲覧されるために、該１つまたは複数の写真・ビデオ取得装置をビューファインダとして使用するステップと、前記遠隔装置において閲覧される前記ビデオストリームから高解像度写真を選択するように該遠隔装置を制御するステップと、前記高解像度写真における被写体を識別するために、識別タグを使用するステップとを含む。
【０００６】
１つの実施形態では、１つまたは複数の写真・ビデオ取得装置は、高解像度写真に注釈を付す。別の実施形態では、ネットワークサーバが、ビデオと高解像度写真とを格納し、支払いをしたユーザに対してビデオストリームと高解像度写真とを送信するか、またはビデオストリームと高解像度写真とをウェブページに掲示する。
【発明を実施するための最良の形態】
【０００７】
遠隔操作撮影方法の好ましい実施形態は、同様の数字が同様の要素を指す以下の図面を参照して詳細に記載される。
【０００８】
ビデオ・静止画像共同パイプライン（joint video and still image pipeline）技術を用いて、ユーザがハンドヘルドデバイスと遠隔カメラとを用いて高解像度写真を取得することができるように、インターネットを通してネットワークを配備することができる。遠隔装置はまた、ユーザの個人情報が埋め込まれた識別タグを含んでもよく、それにより遠隔カメラは識別タグを読み取ることにより写真におけるユーザを識別することができる。遠隔カメラは、任意に、ネットワークを介してユーザに送信される写真に注釈を付すことができる。
【０００９】
図１は、例示的なビデオ・静止画像共同パイプラインを示す。例示的なビデオ・静止画像共同パイプラインは、ビデオ１２０と、静止画像１１０、すなわち写真とを同時に供給することができる。たとえば、ビデオストリーム１２０が閲覧されまたは記録されている間に、スナップショット１０２を撮影して静止画像１１０を生成することができる。ビデオストリーム１２０と静止画像１１０との処理は並列であってもよい。
【００１０】
ビデオ・静止画像共同パイプラインは、カメラからの既存の処理、すなわち、デモザイク処理、カラー処理および画像圧縮を利用する。さらに、ビデオ・静止画像共同パイプラインは、デジタルビデオにおける既存の専門技術、すなわち、ビデオ圧縮ならびにビデオストリーミングおよびトランスコーディングを利用する。静止画像１１０は、通常、たとえば２〜４メガピクセルの高解像度を有する。高解像度静止画像１１０にはまた、ほとんどデモザイクアーティファクトを残さない高度なデモザイク処理と、正確な色を生成する高品質色補正とが施される。一方、ビデオ１２０は、通常、たとえば６４０×４８０の解像度の中間または低解像度である。高解像度静止画像１１０とは対照的に、中間または低解像度ビデオ１２０には、高速デモザイク処理および高速色補正が施され、それにより高フレームレートがもたらされる。そして、ビデオは、リアルタイムで圧縮され低遅延でかつ優れた誤り保護を用いてストリーミングされる。
【００１１】
図２は、遠隔操作撮影の例示的な方法に関連して使用してもよい、例示的なネットワーク２３０とコンピュータ２２０の例示的なハードウェアコンポーネントとを示す。インターネットもしくは他のタイプのコンピュータまたは電話ネットワーク等のネットワーク２３０は、ユーザの遠隔装置２２２、２２０を１つまたは複数の写真・ビデオ取得装置２４０に接続する。遠隔装置２２２、２２０は、ハンドヘルドデバイス２２２またはデスクトップコンピュータ２２０であってもよく、写真・ビデオ取得装置２４０は、遠隔ビデオカメラであってもよい。
【００１２】
コンピュータ２２０は、通常、メモリ２０２と、補助記憶装置２１２と、プロセッサ２１４と、入力デバイス２１６と、表示装置２１０と、出力デバイス２０８とを備える。コンピュータ２２０は、ネットワーク２３０を介して遠隔ビデオカメラ２４０に接続され、カメラ２４０にコマンドを送信し、カメラ２４０からストリーミングビデオおよび画像１２０を受信することができる。メモリ２０２は、ランダムアクセスメモリ（ＲＡＭ）または同様のタイプのメモリを含んでもよい。補助記憶装置２１２は、ハードディスクドライブ、フロッピー（登録商標）ディスクドライブ、ＣＤ−ＲＯＭドライブ、または他のタイプの不揮発性データ記憶装置を含んでもよい。補助記憶装置２１２は、さまざまなデータベースまたは他の資源に対応してもよい。プロセッサ２１４は、メモリ２０２または補助記憶装置２１２に格納された、もしくはインターネットまたは他のネットワーク２３０から受信された、アプリケーションまたは他の情報を実行してもよい。入力デバイス２１６は、キーボード、キーパッド、カーソル制御装置、タッチスクリーン（スタイラスとともに使用する可能性がある）またはマイクロフォン等、コンピュータ２２０にデータを入力するいかなるデバイスを含んでもよい。表示装置２１０は、たとえばコンピュータモニタ、フラットスクリーンディスプレイまたはディスプレイパネル等、視覚画像を提示するいかなるタイプの装置を含んでもよい。出力デバイス２０８は、プリンタ等、ハードコピーフォーマットでデータを提示するいかなるタイプのデバイス、および音声形式でデータを提供するスピーカまたは任意のデバイスを含む他のタイプの出力デバイスを含んでもよい。コンピュータ２２０は、複数の入力デバイスと、出力デバイスと、表示装置とを含むことができる可能性がある。
【００１３】
コンピュータ２２０はさまざまなコンポーネントを有するように示されるが、当業者はこのコンピュータが追加のまたは異なるコンポーネントを含むことが可能であることを理解するであろう。さらに、遠隔操作撮影および被写体識別の方法に一貫する実施の態様を、メモリに格納されているものとして説明するが、当業者は、これらの態様をハードディスク、フロッピー（登録商標）ディスクまたはＣＤ−ＲＯＭを含む補助記憶装置、インターネットまたは他のネットワークからの搬送波、もしくは他の形態のＲＡＭまたはＲＯＭ等、他のタイプのコンピュータプログラム製品またはコンピュータ読取可能媒体に格納しまたはそこから読み出すことも可能であることを理解するであろう。コンピュータ読取可能媒体は、コンピュータ２２０を特定の方法を実行するように制御する命令を含んでもよい。
【００１４】
図３（ａ）および図３（ｂ）は、例示的なビデオ・静止画像共同パイプラインによってユーザがネットワーク２３０を介していかに遠隔高解像度写真１１０を取得することができるかを示すフローチャートである。図３（ａ）を参照すると、ネットワーク２３０により、ユーザ３２２は、ネットワーク２３０における遠隔ビデオカメラ等の写真・ビデオ取得装置２４０のうちの１つに接続し、遠隔カメラ２４０によってキャプチャされているビデオストリーム１２０を受信することができる。言い換えれば、ユーザ３２２は、ハンドヘルドデバイス２２２またはデスクトップコンピュータ２２０において、遠隔カメラ２４０によって送信された受信ビデオストリーム１２０をビューファインダとして使用することができる。ユーザ３２２は、ビューファインダにおいて関心のあるシーンを認めると、高解像度写真１１０を撮影することができる。カメラ２４０が固定されており、すなわち、いかなるユーザ３２２もカメラ２４０を制御または移動することができない場合、複数のユーザ３２２が、同じカメラ２４０を使用して同時に高解像度写真を撮影することができる。
【００１５】
ユーザ３２２は、遠隔カメラ２４０を使用してビデオ１２０を音声とともに視聴し記録することができる。ユーザ３２２はまた、遠隔カメラ２４０からストリーミングされるビデオ１２０をビューファインダとして使用して、いつでも、高解像度写真１１０、すなわち高解像度静止画像を取得することができる。ビデオ１２０および高解像度写真１１０を、それぞれビデオ・静止画像共同パイプライン３２０および３１０を使用して処理し送信してもよい。ビデオおよび高解像度写真の共同送信については、参照により本明細書に援用される、Pere OBRADOR他に対する「CONCURRENT DUAL PIPELINE FOR ACQUISITION, PROCESSING AND TRANSMISSION OF DIGITAL VIDEO AND HIGH RESOLUTION DIGITAL STILL PHOTOGRAPHS」と題する、２００１年１２月２１日に出願された米国特許出願第１０／０２３，８０８号（代理人整理番号第１０００７８４３−１号）において詳細に記載されている。高解像度静止画像の送信については、たとえば、参照により本明細書に援用される「Progressive Still Frame Mode」と題するAndrews等に対する米国特許第６，１０８，０２７号に記載されている。
【００１６】
ビデオ１２０および／または高解像度写真１１０を取得した後、それらを、ネットワーク２３０に接続されるマルチメディアデータベース等の、ネットワークサーバにおける記憶装置３５０に保存してもよい。ハンドヘルドデバイス２２２では、通常、ビデオ伝送に対し帯域幅に制限があるが、ネットワーク２３０は、高速接続により高帯域幅伝送を処理することができる。したがって、ユーザ３２２は、ハンドヘルドデバイス２２２において低品質のストリーミングビデオ１２０を受信するが、記憶装置３５０に格納されるビデオ１２０は、ビューファインダとして使用されるストリーミングビデオ１２０より高品質のものであり得る。別法として、ユーザ３２２がネットワーク２３０への高速接続によりデスクトップコンピュータ２２０から遠隔カメラ２４０にアクセスする場合、ビューファインダとして使用されるストリーミングビデオ１２０は、高帯域幅接続のためにより高品質のものであり得る。
【００１７】
ビデオ１２０および／または高解像度写真１１０を、ウェブページに掲示してもよく、あるいは、支払いが確実にされると、たとえば電子メールによりユーザ３２２に送信してもよい。ユーザ３２２は、ローカル補助記憶装置２１２にビデオ１２０および／または高解像度写真１１０を格納してもよく、プリンタにおいて高解像度写真１１０をプリントしてもよい。
【００１８】
別法として、図３（ｂ）に示すように、ユーザ３２２が遠隔カメラ２４０を制御してもよい。遠隔撮影のためにカメラ２４０のうちの１つを制御するために、ユーザ３２２は、遠隔カメラ２４０にログオンし、インターネットプロトコルアドレス、電子メールアドレス、クレジットカード番号等の支払情報等の個人情報を提出してもよい。各遠隔カメラ２４０は、コンピュータ２２０に類似する、メモリ（図示せず）と、マイクロプロセッサ３４０と、入力デバイス（図示せず）と、出力デバイス（図示せず）と、ネットワーク接続（図示せず）とを備えたマイクロコンピュータであってもよい。遠隔カメラ２４０のマイクロプロセッサ３４０は、ユーザ３２２に対し制御のアクセスを許可する前に、ユーザの支払情報を照合してもよい。顧客情報の照合については、たとえば、参照により本明細書に援用される「Electronic Photography System」と題するMaurinus等に対する米国特許第６，２２２，６４６号に記載されている。
【００１９】
さらに、マイクロプロセッサ３４０は、複数のユーザ３２２が同じカメラ２４０を制御するために待ち行列システムを実施してもよい。待ち行列システムにより、先のユーザ３２２がカメラ２４０からログオフした後のみ、別のユーザ３２２が同じカメラ２４０にログオンし制御３６１を行うことができる。制御２６１には、遠隔カメラ２４０を上方または下方に傾斜させること、カメラ２４０を左または右に回転させること、カメラ２４０の焦点を合わせ直すこと、またはカメラ２４０をズーミングすることが含まれてもよい。マイクロプロセッサ３４０はまた、ユーザ３２２から受け取った制御コマンドを実行するように遠隔カメラ２４０のモータを制御する。
【００２０】
図３（ｃ）は、直接有線接続、赤外線遠隔操作または電話ネットワーク等のポイント・ツー・ポイント接続を介して遠隔高解像度写真１１０を取得するために、ユーザ３２２が遠隔カメラ２４０をいかに制御することができるかを示すフローチャートである。ユーザ３２２は、通常、本技術分野において既知である、直接有線接続、赤外線チャネルまたは電話ネットワークチャネル等の通信チャネルを介して、遠隔カメラ２４０に接続し、低解像度ビデオ１２０を受信する。ユーザ３２２はまた、制御コマンド３６２を遠隔カメラ２４０に、同じ通信チャネルを介して送信してもよく、または異なる通信チャネルを介して送信してもよい。高解像度写真１１０が取得されると、写真１１０をユーザ３２２に対し、同様のチャネルを介して直接送信してもよく、あるいはネットワーク２３０を介して送信してもよい。
【００２１】
一例として、移動体環境において、ユーザ３２２は、携帯電話またはハンドヘルドコンピュータ等のハンドヘルドデバイス２２２を使用して、ネットワーク２３０における遠隔カメラ２４０のうちの１つを用いて高解像度写真１１０を制御し取得してもよい。カメラ２４０を、たとえばテーマパークの写真を広角度から取得するように特別に配置し、それによってユーザ３２２が、遠隔カメラ２４０から取得されるストリーミングビデオ１２０をビューファインダとして使用することによりテーマパークにおける自身の高解像度写真１１０を取得することができるようにしてもよい。高解像度写真１１０を、後にウェブページに掲示してもよく、あるいは支払をしたユーザ３２２に電子メールで送信してもよい。
【００２２】
別の例では、ハンドヘルドデバイス２２２が、連絡先および電子メールアドレス等、ユーザの個人情報が埋め込まれた識別タグ２２５（図２に示す）を含んでもよい。識別タグ２２５は、パッシブ無線タグであってもよく、または識別のために信号を送信するタグであってもよい。複数のユーザ３２２が写真１１０を撮影するために遠隔カメラ２４０を使用する場合、または遠隔カメラ２４０がたとえばテーマパークにおいてランダムな写真を撮影する場合、遠隔カメラ２４０は、ハンドヘルドデバイス２２２の識別タグ２２５を読み取り、写真１１０における被写体、すなわちユーザ３２２を識別してもよい。識別タグ２２５はまた、被写体自体に付されていてもよい。写真１１０におけるユーザ３２２を識別した後、マイクロプロセッサ３４０は、写真１１０に自動的に注釈を付してもよい。たとえば、写真１１０が動物園で撮影される場合、マイクロプロセッサ３４０は、写真１１０に「ジョン、国立動物園にて、２００２年８月２日」と注釈を付してもよい。ユーザの支払情報を照合した後、マイクロプロセッサ３４０は、ネットワーク２３０を介してユーザ３２２に写真１１０を電子メールで送信してもよく、またはウェブページに写真１１０を掲示してもよい。
【００２３】
図４は、遠隔操作撮影の例示的な方法を示すフローチャートである。ステップ４１０は、ハンドヘルドデバイス２２２またはデスクトップコンピュータ２２０等、ユーザ３２２の遠隔装置を、遠隔ビデオカメラ等の１つまたは複数の写真・ビデオ取得装置２４０に、直接有線接続、赤外線遠隔操作またはネットワーク等、ネットワーク２３０または他の手段を介して接続することを含む。遠隔カメラ２４０のうちの１つに対し制御を行うために、ステップ４１２において、ユーザ３２２は、遠隔カメラ２４０に対し支払情報を提供してもよい。ステップ４１４において、遠隔カメラ２４０のマイクロプロセッサ３４０が、ユーザ３２２によって提出された支払情報を照合した後、ステップ４１６において、ユーザ３２２は、遠隔装置から遠隔カメラ２４０を制御することができる。ステップ４１８において、マイクロプロセッサ３４０は、複数のユーザ３２２が同じ遠隔カメラ２４０を順番に制御することができるように待ち行列システムを実施してもよい。
【００２４】
次に、ステップ４２０において、ネットワーク２３０により、ユーザ３２２は、遠隔カメラ２４０によってキャプチャされたストリーミングビデオ１２０をビューファインダとして使用して、遠隔カメラ２４０からストリーミングされるビデオ１２０を閲覧し遠隔装置から高解像度写真１１０を取得することができる。複数のユーザ３２２が同じ遠隔カメラ２４０を使用する場合、または遠隔カメラ２４０がランダムな写真１１０を撮影する場合、ステップ４２２において、遠隔カメラ２４０は、ユーザ３２２が携行するハンドヘルドデバイス２２２における識別タグ２２５を読み取ることにより、写真１１０におけるユーザ３２２を識別してもよい。任意に、ステップ４２６において、マイクロプロセッサ３４０は、写真１１０に自動的に注釈を付す。
【００２５】
その後、ステップ４３０において、ビデオ・静止画像共同パイプラインを使用して並列にビデオ１２０と高解像度写真１１０とを処理し送信してもよい。したがって、ユーザ３２２がビューファインダで知覚することは、まさに、一眼レフ（ＳＬＲ）カメラにおけるようにユーザ３２２が撮影するものである。ステップ４４０において、ネットワーク２３０は、ビデオ１２０および／または高解像度写真１１０をネットワークサーバ上の記憶装置３５０に格納してもよい。格納されたビデオ１２０は、ビューファインダとして使用されるストリーミングビデオ１２０より高品質のものであってもよい。そして、ステップ４４２において、ビデオ１２０および／または高解像度写真１１０を、支払いをしたユーザ３２２に送信してもよい。別法として、ステップ４４４において、ビデオ１２０および／または高解像度写真１１０をウェブページに掲示してもよく、それにより、ステップ４４６において、ユーザ３２２は、デスクトップコンピュータ２２０等の遠隔装置にダウンロードすることができる。
【００２６】
図５は、遠隔操作撮影の例示的な方法を示す別のフローチャートである。まず、ステップ５１０において、遠隔カメラ２４０は、たとえばテーマパークにおいて複数のユーザ３２２のランダムな写真１１０を撮影する。ステップ５２０において、遠隔カメラ２４０は、ユーザ３２２が携行しているハンドヘルドデバイス２２２の識別タグ２２５を読み取ることにより、写真１１０におけるユーザ３２２を識別してもよい。任意に、ステップ５３０において、マイクロプロセッサ３４０は、写真１１０に自動的に注釈を付す。そして、ステップ５４０において、支払いをしたユーザ３２２に写真１１０を送信してもよい。別法として、ステップ５５０において写真１１０をウェブページに掲示してもよく、それによりステップ５６０において、ユーザ３２２はデスクトップコンピュータ２２０にダウンロードすることができる。
【００２７】
図６は、遠隔操作撮影の例示的な方法を示すさらに別のフローチャートである。まず、ユーザは、１つまたは複数の写真・ビデオ取得装置２４０をビューファインダとして使用して、１つまたは複数の写真・ビデオ取得装置２４０によってキャプチャされたビデオストリーム１２０が遠隔装置２２２で閲覧されるようにする（ブロック６１０）。次に、ユーザ３２２は、遠隔装置２２２で閲覧されたビデオストリーム１２０から高解像度写真１１０を選択するように遠隔装置２２２を制御する（ブロック６２０）。そして、１つまたは複数の写真・ビデオ取得装置２４０は、識別タグ２２５を使用して、高解像度写真１１０における被写体を識別する（ブロック６３０）。
【００２８】
例示的な実施形態に関連して、遠隔操作撮影および被写体識別の方法および装置について説明したが、当業者は、これらの技法に鑑みて多くの変更形態が可能であることを理解するであろう。また、本出願は、その任意の変形を包含するように意図されている。
【図面の簡単な説明】
【００２９】
【図１】例示的なビデオ・静止画像共同パイプラインを示す図である。
【図２】遠隔操作撮影のための例示的な方法に関連して使用してもよい、例示的なネットワークとコンピュータの例示的なハードウェアコンポーネントとを示す図である。
【図３】（ａ）図１の例示的なビデオ・静止画像共同パイプラインにより、ユーザがいかに図２の例示的なネットワークを介して遠隔高解像度写真を取得することができるかを示すフローチャートである。（ｂ）図１の例示的なビデオ・静止画像共同パイプラインにより、ユーザがいかに図２の例示的なネットワークを介して遠隔高解像度写真を取得することができるかを示すフローチャートである。（ｃ）ユーザがポイント・ツー・ポイント接続を介していかに遠隔高解像度写真を取得することができるかを示すフローチャートである。
【図４】遠隔操作撮影の例示的な方法を示すフローチャートである。
【図５】遠隔操作撮影の例示的な方法を示す別のフローチャートである。
【図６】遠隔操作撮影の例示的な方法を示すさらに別のフローチャートである。
【符号の説明】
【００３０】
１０２  スナップショット
１１０  静止画像
１２０  ビデオ
２０２  メモリ
２０８  出力デバイス
２１０  表示装置
２１２  補助記憶装置
２１４  プロセッサ
２１６  入力デバイス
２３０  ネットワーク
３１０  高解像度写真パイプライン
３２０  ビデオパイプライン
３２２  ユーザ
３５０  記憶装置
３６１  制御
３６２  制御
【図１】
2006502660.tif 000003
【図２】
2006502660.tif 000004
【図３Ａ】
2006502660.tif 000005
【図３Ｂ】
2006502660.tif 000006
【図３Ｃ】
2006502660.tif 000007
【図４】
2006502660.tif 000008
【図５】
2006502660.tif 000009
【図６】
2006502660.tif 000010
【国際調査報告】
2006502660.tif 000011
2006502660.tif 000012